(57)【特許請求の範囲】
【請求項１】
方形の枠体であって、液晶モジュールを支持する液晶モジュール枠と、
上記液晶モジュール枠を載置する受け部を内部側壁の４隅に設け、各受け部に上記液晶モジュール枠の４隅を載置し、各受け部と上記液晶モジュール枠の４隅とがビスにて固定されている箱状のシャーシと、から構成される液晶表示装置において、
上記シャーシの長手方向における両側面の上部の略中央部にネジ取付孔が設けられ、
上記液晶モジュール枠の長手方向における両側面部に、このネジ取付孔に対応するようにネジ孔が穿設され、このネジ孔にはネジ溝が形成され、
シャーシの外側から上記ネジ取付孔を通して液晶モジュール枠の各ネジ孔に螺合されるネジが備えられ、
上記液晶モジュールの長辺の略中央部が、上記各ネジ孔に螺合されるネジによって支持されていることを特徴とする液晶表示装置。
【発明の詳細な説明】
【０００１】
【発明の属する技術分野】
本発明は、液晶表示パネルを有する液晶モジュールが周囲を液晶モジュール枠にて支持され、シャーシに液晶モジュール枠にて支持された液晶モジュールが取付けられた液晶表示装置に関するものである。
【０００２】
【従来の技術】
液晶モジュール１は、本発明の説明図である図３に示すように、液晶層、ガラス基板、偏光板等からなるＬＣＤパネル２と、このＬＣＤパネル２の周囲に信号を伝達させる図示しない電気回路と、ＬＣＤパネル２の下部にアルミ製のベースプレート３を介して設けられたバックライト機構４と、バックライト５のための図示しないインバータ回路と、接続端子等の各部品とから構成されている。
【０００３】
上記の液晶モジュール１は、周囲をベゼル（Vessel）６と称する方形の枠体によって支持されている。すなわち、上記のベゼル６には、本発明の説明図である図４（ａ）に示すように、ベゼル６の上面縁から垂下する側面の一部を切り欠いた爪部７が形成されており、図４（ｂ）に示すように、この爪部７をベースプレート３の下側で内側に折曲することによって、液晶モジュール１とベゼル６とが一体化されている。
【０００４】
上記液晶モジュール１とベゼル６との一体物は、図８に示すように、板金若しくは樹脂材料からなる箱状のシャーシユニット８に取付けられるようになっている。すなわち、シャーシユニット８には、内部側壁の４隅に受け部９…が設けられており、これら受け部９…に上記の液晶モジュール１とベゼル６との一体物を載置し、これら受け部９…にてビス１０…で止めることによって、液晶モジュール１とベゼル６との一体物がシャーシユニット８に取付けられるようになっている。
【０００５】
なお、シャーシユニット８の内部には、液晶モジュール１を駆動するための電源回路、操作回路、コンピュータからの信号を伝達させるための接続端子等が設置されており、このような構造と機能とをもつユニットを一般に液晶モニターと称している。
【０００６】
【発明が解決しようとする課題】
しかしながら、上記従来の液晶モジュールの取付け構造では、ベゼル６がシャーシユニット８に設けられた４隅の受け部９…に支持されているだけであるので、輸送途上や荷扱い時の不注意等により液晶モニターを落下させた場合に、液晶モジュール１及びベゼル６の一部、すなわち図８において矢印Ａで示すように、強度的に弱い辺の中央が下向きに撓み変形することがあるという問題点を有している。すなわち、例えば、１４インチの大型ＬＣＤパネル２からなる液晶モニターについて落下試験をすると、液晶モジュール１の４隅は比較的強固で変形し難いが、辺の中央付近、特に長辺の中央付近は、落下時の衝撃荷重が伝達されて変形を受け易い。また、シャーシユニット８の変形は問題とならないが、液晶モジュール１の変形はＬＣＤパネル２の破損を招来することになる。
【０００７】
本発明は、上記従来の問題点に鑑みなされたものであって、その目的は、液晶モニターが落下した場合に、液晶モジュールの辺の中央部に撓み変形が生じるのを防止し、製品の品質確保を図り得る液晶表示装置を提供することにある。
【０００８】
【課題を解決するための手段】
本発明の液晶表示装置は、上記課題を解決するために、方形の枠体であって、液晶モジュールを支持する液晶モジュール枠と、内部側壁の４隅が上記液晶モジュール枠の４隅と固定されている箱状のシャーシと、から構成される液晶表示装置において、上記シャーシの長手方向における両側面の略中央部にネジが設けられ、上記液晶モジュール枠の長辺の略中央部が上記ネジに固定されていることを特徴とする。
本発明の液晶表示装置は、上記構成に加えて、上記シャーシには、上記ネジを設けるためのネジ取付孔が形成され、上記液晶モジュール枠には、上記ネジと螺合するネジ孔が形成されていることを特徴とする。
【０００９】
本発明によれば、液晶表示パネルを有する液晶モジュールと液晶モジュール枠との一体物は、液晶モジュール枠の側面に設けられたネジ孔を利用して螺合部材によってシャーシに取付けられる。
【００１０】
この結果、液晶モジュール枠と液晶モジュールとの一体物の辺の略中央部が補強されるので、液晶モジュールをシャーシに取り付けた液晶モニターが落下した場合に、液晶モジュールの辺の中央部に撓み変形が生じるのを防止することができ、製品の品質確保を図ることができる。
【００１１】
【発明の実施の形態】
本発明の一実施例について図１ないし図７に基づいて説明すれば、以下の通りである。
【００１２】
本実施例の液晶モジュール１は、図３に示すように、液晶層、ガラス基板、偏光板等からなる液晶表示パネルとしてのＬＣＤ(Liquid Crystal Display)パネル２と、このＬＣＤパネル２の周囲に信号を伝達させる図示しない電気回路と、ＬＣＤパネル２の下部にアルミ製のベースプレート３を介して設けられたバックライト機構４と、バックライト５のための図示しないインバータ回路と、接続端子等の各部品とから構成されている。
【００１３】
上記の液晶モジュール１は、周囲を液晶モジュール枠としてのベゼル（Vessel）６と称する方形の枠体によって支持されている。すなわち、上記のベゼル６には、図４（ａ）に示すように、ベゼル６の上端縁から垂下する側面の一部を切り欠いた爪部７が形成されており、図４（ｂ）に示すように、この爪部７をベースプレート３の下側で内側に折曲することによって、液晶モジュール１とベゼル６とが一体化されている。上記の爪部７は、図１に示すように、ベゼル６の長辺部及び短辺部の側面にそれぞれ２か所ずつ形成されている。
【００１４】
また、上記液晶モジュール１とベゼル６との一体物は、板金若しくは樹脂材料からなる箱状のシャーシとしてのシャーシユニット８に取付けられるようになっている。すなわち、シャーシユニット８には、内部側壁の４隅に受け部９…が設けられており、これら受け部９…に上記の液晶モジュール１とベゼル６との一体物を載置し、これら受け部９…にてビス１０…で止めることによって、液晶モジュール１とベゼル６との一体物がシャーシユニット８に取付けられるようになっている。
【００１５】
さらに、本実施例の液晶モジュール１の取付け構造は、上記シャーシユニット８の長手方向の両側面には、ベゼル６にて支持された液晶モジュール１を支持する支持部材及び螺合部材としてのネジ１１…が設けられる。
【００１６】
上記のシャーシユニット８の長手方向の両側壁の上部には、例えばそれぞれ３か所のネジ取付孔１２…が設けられる一方、ベゼル６の側面部にもその位置に対応するようにネジ孔１３…が穿設されている。これらネジ孔１３…には、ネジ溝が形成されている。
【００１７】
そして、図２に示すように、上記ベゼル６はシャーシユニット８の外側からネジ取付孔１２を通してネジ孔１３に螺合されるネジ１１にて支持される。
【００１８】
一方、上記シャーシユニット８の内部には、液晶モジュール１を駆動するための電源回路、操作回路、コンピュータからの信号を伝達させるための接続端子等が設置されており、このような構造と機能とをもつユニットを一般に液晶モニターと称している。
【００１９】
このように、本実施例の液晶モジュール１の取付け構造は、ＬＣＤパネル２を有する液晶モジュール１とベゼル６との一体物は、箱状のシャーシユニット８における内部側壁の４隅に設けられた受け部９…にて４隅が固定されると共に、シャーシユニット８の側壁における辺の略中央部に設けられたネジ１１…によって、ベゼル６と液晶モジュール１との一体物の辺の略中央部が支持される。
【００２０】
この結果、ベゼル６と液晶モジュール１との一体物の辺の略中央部が補強されるので、液晶モジュール１をシャーシユニット８に取り付けた液晶モニターが、例えば、輸送途中や荷扱い中に誤って落下した場合、若しくは大きな衝撃荷重が作用した場合に、液晶モジュール１の辺の中央部に撓み変形が生じるのを防止することができ、製品の品質確保を図ることができる。
【００２１】
また、本実施例の液晶モジュールの取付け構造では、特に、支持部材としてネジ１１…を使用しているので、ベゼル６と液晶モジュール１との一体物の辺の略中央部は、シャーシユニット８の側壁を通してベゼル６に螺合されるこれらネジ１１…にて支持固定される。
【００２２】
このため、ベゼル６と液晶モジュール１との一体物を確実にシャーシユニット８に取付けることができるので、液晶モジュール１をシャーシユニット８に取り付けた液晶モニターが落下した場合に、液晶モジュール１の辺の中央部に撓み変形が生じるのを防止することができ、製品の品質確保を図ることができる。
【００２３】
なお、本発明は、上記の実施例に限定されるものではなく、本発明の範囲内で種々の変更が可能である。
【００２４】
例えば、上記実施例では、支持部材としてネジ１１…を使用しているが、特にこれに限定するものではなく、図５に示すように、支持部材である受け部材としてのＬアングル１４…を使用することも可能である。
【００２５】
上記のＬアングル１４…は、ベゼル６の側面の一部を切り欠いた爪部７の折曲跡にできるスペースに納まる幅を有して形成されており、ベゼル６と液晶モジュール１との一体物をシャーシユニット８に取り付けたときに、Ｌアングル１４の平板部が液晶モジュール１のベースプレート３の下面に接触するように、シャーシユニット８の内部側壁の略中央に支持固定されて取付けられる。
【００２６】
したがって、液晶モジュール１をシャーシユニット８に取り付けた液晶モニターが落下等した場合に、ベゼル６を撓み変形させようとする荷重がベースプレート３に伝達され、その荷重をＬアングル１４…が支えるため、ベゼル６を補強したのと同じ働きをする。この結果、液晶モジュール１の辺の中央部に撓み変形が生じるのを防止することができ、製品の品質確保を図ることができる。
【００２７】
また、Ｌアングル１４…は構造及び取付けが簡単であり、容易に支持部材としての機能を果たすものである。
【００２８】
さらに、支持部材は、図６に示すように、ベゼル６を下側から支持すべくシャーシユニット８の側壁に支持固定されて設けられる内部突出部材としてのピン１５…にて形成することも可能である。
【００２９】
このピン１５…は、例えば、シャーシユニット８の側壁の外部から内部に向けて貫通して内部に突出するように設けられている。そして、上記Ｌアングル１４…と同様に、ベゼル６の側面の一部を切り欠いた爪部７の折曲跡にできるスペースに納まってベースプレート３の下面に接触するように配設されている。なお、このピン１５…は、必ずしもシャーシユニット８の側壁を貫通するものでなく、例えば、シャーシユニット８の内部側壁に取付けたものであってもよい。
【００３０】
このように、支持部材をピン１５…にて形成することによって、液晶モニターが落下等した場合に、ベゼル６に加わる荷重をピン１５…が支えるため、液晶モジュール１の辺の中央部に撓み変形が生じるのを防止することができ、製品の品質確保を図ることができる。また、ピン１５…も構造及び取付けが簡単であり、容易に支持部材としての機能を果たす。
【００３１】
また、支持部材は、図７に示すように、ベゼル６を下側から支持すべくシャーシユニット８の側壁の一部を切り欠き、内側に折曲して形成した切欠折曲部１６…にて形成することも可能である。
【００３２】
この切欠折曲部１６は、上記Ｌアングル１４…及びピン１５…と同様に、ベゼル６の側面の一部を切り欠いた爪部７の折曲跡にできるスペースに納まるように配設されており、ベゼル６と液晶モジュール１との一体物をシャーシユニット８に取り付けたときに、切欠折曲部１６…の上端縁がベースプレート３の下面に接触するようになっている。
【００３３】
したがって、液晶モジュール１をシャーシユニット８に取り付けた液晶モニターが落下した場合に、ベゼル６に加わる荷重を切欠折曲部１６…が支えるため、液晶モジュール１の辺の中央部に撓み変形が生じるのを防止することができ、製品の品質確保を図ることができる。
【００３４】
また、切欠折曲部１６…は、シャーシユニット８を加工して形成することができるので、構造が簡単であると共に、部品点数の増加を回避することができ、ひいては、製品コストの増大を防止することができる。
【００３５】
なお、上述の各実施例においては、全てベゼル６の長辺側の側面に設ける支持部材について説明したが、必ずしもこれに限らず、例えば、落下の仕方によっては、ベゼル６の短辺側に撓み変形を起こす場合もあるので、上記支持部材を短辺側に設けることも可能である。
【００３６】
また、ベゼル６における長辺側及び短辺側の全てに支持部材を設ける必要はなく、液晶モニター落下による変形の箇所を考慮して、変形に対して効果のある部分にのみ支持部材を設けることも可能である。
【００３７】
【発明の効果】
本発明の液晶表示装置は、以上のように、方形の枠体であって、液晶モジュールを支持する液晶モジュール枠と、内部側壁の４隅が上記液晶モジュール枠の４隅と固定されている箱状のシャーシと、から構成される液晶表示装置において、上記シャーシの長手方向における両側面の略中央部にネジが設けられ、上記液晶モジュール枠の長辺の略中央部が上記ネジに固定されていることを特徴とする。
本発明の液晶表示装置は、上記構成に加えて、上記シャーシには、上記ネジを設けるためのネジ取付孔が形成され、上記液晶モジュール枠には、上記ネジと螺合するネジ孔が形成されていることを特徴とする。
【００３８】
この結果、液晶モジュール枠と液晶モジュールとの一体物の辺の略中央部が補強されるので、液晶モジュールをシャーシに取り付けた液晶モニターが落下した場合に、液晶モジュールの辺の中央部に撓み変形が生じるのを防止することができ、製品の品質確保を図ることができるという効果を奏する。
【図面の簡単な説明】
【図１】本発明の一実施例の液晶モジュールの取付け構造を示す分解斜視図である。
【図２】上記液晶モジュールのベゼルにおける辺の略中央部とシャーシユニットとの取付け構造を詳細に示す断面図である。
【図３】上記液晶モジュールの構造を一部切り欠いて示す模式図である。
【図４】上記液晶モジュールとベゼルとを一体化する状況を示す説明図であり、（ａ）は液晶モジュールをベゼルの内部に挿入した状態、（ｂ）はベゼルの側面の爪部を内側に折曲することにより液晶モジュールを固定して一体化した状態を示すものである。
【図５】液晶モジュールをＬアングルからなる支持部材にて支持する液晶モジュールの取付け構造を示す分解斜視図である。
【図６】液晶モジュールをピンからなる支持部材にて支持する液晶モジュールの取付け構造を示す分解斜視図である。
【図７】液晶モジュールをシャーシユニット側壁の切欠折曲部からなる支持部材にて支持する液晶モジュールの取付け構造を示す分解斜視図である。
【図８】従来例を示すものであり、液晶モジュールの取付け構造を示す分解斜視図である。
【符号の説明】
１    液晶モジュール
２    ＬＣＤパネル（液晶表示パネル）
６    ベゼル（液晶モジュール枠）
８    シャーシユニット（シャーシ）
９    受け部
１１    ネジ（支持部材、螺合部材）
１４    Ｌアングル（支持部材、受け部材）
１５    ピン（支持部材、内部突出部材）
１６    切欠折曲部
【図１】
0003816321.tif 000002
【図２】
0003816321.tif 000003
【図３】
0003816321.tif 000004
【図４】
0003816321.tif 000005
【図５】
0003816321.tif 000006
【図６】
0003816321.tif 000007
【図７】
0003816321.tif 000008
【図８】
0003816321.tif 000009